(57)【特許請求の範囲】
【請求項１】
公衆交換電話網に接続される電話網接続部と、
電話機に接続される電話機接続部と、
ＳＬＩＣ（Ｓｕｂｓｃｒｉｂｅｒ  Ｌｉｎｅ  Ｉｎｔｅｒｆａｃｅ  Ｃｉｒｃｕｉｔ）及びＤＡＡ（Ｄａｔａ  Ａｃｃｅｓｓ  Ａｒｒａｎｇｅｍｅｎｔ）の少なくとも一方を有する通信制御部と、
前記電話機を、前記通信制御部を介さずに前記公衆交換電話網に接続させる第１通信経路及び前記通信制御部を介して前記公衆交換電話網に接続させる第２通信経路のいずれかに接続させる第１スイッチと、
前記ＳＬＩＣ及び前記ＤＡＡの少なくとも一方を診断する診断部と、
前記診断部による診断結果が異常を示す場合、前記電話機と前記第１通信経路とを接続させた状態を維持するべく前記第１スイッチを制御するスイッチ制御部と、
カレンダー情報を管理するカレンダー管理部と
を備え、
前記診断部は、前記カレンダー情報に基づく頻度で前記ＳＬＩＣ及び前記ＤＡＡの少なくとも一方を診断する、通信制御装置。
【請求項２】
前記通信制御装置が設置された場所を示す配置場所情報を管理する配置場所管理部
をさらに備え、
前記診断部は、前記カレンダー情報及び前記配置場所情報に基づく頻度で前記ＳＬＩＣ及び前記ＤＡＡの少なくとも一方を診断する、請求項１に記載の通信制御装置。
【請求項３】
前記公衆交換電話網を介してデータを送受信するデータ通信部
をさらに備え、
前記診断部は、天候情報を提供する天候情報サーバから前記データ通信部が受信した雷情報に基づいて、前記ＳＬＩＣ及び前記ＤＡＡの少なくとも一方を診断する、請求項１又は２に記載の通信制御装置。
【請求項４】
前記公衆交換電話網を介してデータを送受信するデータ通信部
をさらに備え、
前記診断部は、前記通信制御装置を管理する管理サーバから前記データ通信部が受信した指示に従って、前記ＳＬＩＣ及び前記ＤＡＡの少なくとも一方を診断し、
前記管理サーバは、複数の通信制御装置のそれぞれからＳＬＩＣ及び前記ＤＡＡの少なくとも一方の診断結果を受信し、
前記診断部は、前記管理サーバが、予め定められた期間に予め定められた数以上の通信制御装置からＳＬＩＣ及び前記ＤＡＡの少なくとも一方の異常を示す診断結果を受信した場合に、前記管理サーバによって送信された指示に従って、前記ＳＬＩＣ及び前記ＤＡＡの少なくとも一方を診断する、請求項１又は２に記載の通信制御装置。
【請求項５】
公衆交換電話網に接続される電話網接続部と、
電話機に接続される電話機接続部と、
ＳＬＩＣ（Ｓｕｂｓｃｒｉｂｅｒ  Ｌｉｎｅ  Ｉｎｔｅｒｆａｃｅ  Ｃｉｒｃｕｉｔ）及びＤＡＡ（Ｄａｔａ  Ａｃｃｅｓｓ  Ａｒｒａｎｇｅｍｅｎｔ）の少なくとも一方を有する通信制御部と、
前記電話機を、前記通信制御部を介さずに前記公衆交換電話網に接続させる第１通信経路及び前記通信制御部を介して前記公衆交換電話網に接続させる第２通信経路のいずれかに接続させる第１スイッチと、
前記ＳＬＩＣ及び前記ＤＡＡの少なくとも一方を診断する診断部と、
前記診断部による診断結果が異常を示す場合、前記電話機と前記第１通信経路とを接続させた状態を維持するべく前記第１スイッチを制御するスイッチ制御部と、
前記公衆交換電話網を介してデータを送受信するデータ通信部と
を備え、
前記診断部は、天候情報を提供する天候情報サーバから前記データ通信部が受信した雷情報に基づいて、前記ＳＬＩＣ及び前記ＤＡＡの少なくとも一方を診断する、通信制御装置。
【請求項６】
通信制御装置であって、
公衆交換電話網に接続される電話網接続部と、
電話機に接続される電話機接続部と、
ＳＬＩＣ（Ｓｕｂｓｃｒｉｂｅｒ  Ｌｉｎｅ  Ｉｎｔｅｒｆａｃｅ  Ｃｉｒｃｕｉｔ）及びＤＡＡ（Ｄａｔａ  Ａｃｃｅｓｓ  Ａｒｒａｎｇｅｍｅｎｔ）の少なくとも一方を有する通信制御部と、
前記電話機を、前記通信制御部を介さずに前記公衆交換電話網に接続させる第１通信経路及び前記通信制御部を介して前記公衆交換電話網に接続させる第２通信経路のいずれかに接続させる第１スイッチと、
前記ＳＬＩＣ及び前記ＤＡＡの少なくとも一方を診断する診断部と、
前記診断部による診断結果が異常を示す場合、前記電話機と前記第１通信経路とを接続させた状態を維持するべく前記第１スイッチを制御するスイッチ制御部と、
前記公衆交換電話網を介してデータを送受信するデータ通信部と
を備え、
前記診断部は、前記通信制御装置を管理する管理サーバから前記データ通信部が受信した指示に従って、前記ＳＬＩＣ及び前記ＤＡＡの少なくとも一方を診断し、
前記管理サーバは、複数の通信制御装置のそれぞれからＳＬＩＣ及び前記ＤＡＡの少なくとも一方の診断結果を受信し、
前記診断部は、前記管理サーバが、予め定められた期間に予め定められた数以上の通信制御装置からＳＬＩＣ及び前記ＤＡＡの少なくとも一方の異常を示す診断結果を受信した場合に、前記管理サーバによって送信された指示に従って、前記ＳＬＩＣ及び前記ＤＡＡの少なくとも一方を診断する、通信制御装置。
【請求項７】
前記通信制御部と前記公衆交換電話網との接続のオン状態とオフ状態とを切り換える第２スイッチ
をさらに備え、
前記スイッチ制御部は、前記診断部による診断結果が異常を示す場合、前記通信制御部と前記公衆交換電話網との接続をオフ状態にさせる、請求項１から６のいずれか一項に記載の通信制御装置。
【請求項８】
前記電話機が待ち受け状態である場合、前記電話機は前記第１通信経路に接続され、
前記通信制御部は、前記電話機のオフフックを検出したときに、前記電話機を前記第２通信経路に接続させるべく、前記第１スイッチに制御信号を送信し、
前記スイッチ制御部は、前記診断部による診断結果が異常を示す場合、前記第１スイッチが前記通信制御部から前記制御信号を受信した場合であっても、前記電話機と前記第１通信経路とを接続させた状態を維持させるべく前記第１スイッチを制御する、請求項１から７のいずれか一項に記載の通信制御装置。
【請求項９】
前記診断部は、前記ＳＬＩＣ及び前記ＤＡＡの少なくとも一方に診断信号を送信した後、異常を示す信号を前記ＳＬＩＣ及び前記ＤＡＡの少なくとも一方から受信した場合、又は、前記ＳＬＩＣ及び前記ＤＡＡの少なくとも一方に診断信号を送信した後、予め定められた期間が経過するまでに前記ＳＬＩＣ及び前記ＤＡＡの少なくとも一方から信号を受信しなかった場合に、前記ＳＬＩＣ及び前記ＤＡＡの少なくとも一方が異常であると判定する、請求項１から８のいずれか一項に記載の通信制御装置。
【請求項１０】
前記スイッチ制御部は、前記通信制御装置がリブートされた後も、前記電話機と前記第１通信経路とを接続させた状態を維持させる、請求項１から９のいずれか一項に記載の通信制御装置。
【請求項１１】
コンピュータを、請求項１から１０のいずれか一項に記載の通信制御装置として機能させるためのプログラム。
【発明の詳細な説明】
【技術分野】
【０００１】
本発明は、通信制御装置及びプログラムに関する。
【背景技術】
【０００２】
従来、公衆交換電話網を介した通話サービスとＩＰ電話サービスとを提供可能なＡＤＳＬモデムが知られていた（例えば、特許文献１参照）。
［先行技術文献］
［特許文献］
［特許文献１］特開２００６−００５４２３号公報
【発明の概要】
【発明が解決しようとする課題】
【０００３】
ＡＤＳＬモデムが備えるＴＡ（Ｔｅｌｅｐｈｏｎｙ  Ａｄａｐｔｏｒ）に接続された電線等に落雷があった場合に、ＴＡが備えるＳＬＩＣ（Ｓｕｂｓｃｒｉｂｅｒ  Ｌｉｎｅ  Ｉｎｔｅｒｆａｃｅ  Ｃｉｒｃｕｉｔ）及びＤＡＡ（Ｄａｔａ  Ａｃｃｅｓｓ  Ａｒｒａｎｇｅｍｅｎｔ）の少なくとも一方に異常が発生して、サービスに支障を来す場合があった。
【課題を解決するための手段】
【０００４】
本発明の第１の態様によれば、公衆交換電話網に接続される電話網接続部と、電話機に接続される電話機接続部と、ＳＬＩＣ及びＤＡＡの少なくとも一方を有する通信制御部と、電話機を、通信制御部を介さずに公衆交換電話網に接続させる第１通信経路及び通信制御部を介して公衆交換電話網に接続させる第２通信経路のいずれかに接続させる第１スイッチと、ＳＬＩＣ及びＤＡＡの少なくとも一方を診断する通信制御部診断部と、診断部による診断結果が異常を示す場合、電話機と第１通信経路とを接続させた状態を維持するべく第１スイッチを制御するスイッチ制御部とを備える通信制御装置が提供される。
【０００５】
上記通信制御装置は、通信制御部と公衆交換電話網との接続のオン状態とオフ状態とを切り換える第２スイッチをさらに備えてよく、スイッチ制御部は、診断部による診断結果が異常を示す場合、通信制御部と公衆交換電話網との接続をオフ状態にさせてよい。上記通信制御装置において、電話機が待ち受け状態である場合、電話機は第１通信経路に接続されてよく、通信制御部は、電話機のオフフックを検出したときに、電話機を第２通信経路に接続させるべく、第１スイッチに制御信号を送信してよく、スイッチ制御部は、診断部による診断結果が異常を示す場合、第１スイッチが通信制御部から制御信号を受信した場合であっても、電話機と第１通信経路とを接続させた状態を維持させるべく第１スイッチを制御してよい。上記通信制御装置において、診断部は、ＳＬＩＣ及びＤＡＡの少なくとも一方に診断信号を送信した後、異常を示す信号をＳＬＩＣ及びＤＡＡの少なくとも一方から受信した場合、又は、ＳＬＩＣ及びＤＡＡの少なくとも一方に診断信号を送信した後、予め定められた期間が経過するまでにＳＬＩＣ及びＤＡＡの少なくとも一方から信号を受信しなかった場合に、ＳＬＩＣ及びＤＡＡの少なくとも一方が異常であると判定してよい。上記通信制御装置において、スイッチ制御部は、通信制御装置がリブートされた後も、電話機と第１通信経路とを接続させた状態を維持させてよい。
【０００６】
上記通信制御装置は、カレンダー情報を管理するカレンダー管理部をさらに備えてよく、診断部は、カレンダー情報に基づく頻度でＳＬＩＣ及びＤＡＡの少なくとも一方を診断してよい。上記通信制御装置は、通信制御装置が設置された場所を示す配置場所情報を管理する配置場所管理部をさらに備えてよく、診断部は、カレンダー情報及び配置場所情報に基づく頻度でＳＬＩＣ及びＤＡＡの少なくとも一方を診断してよい。上記通信制御装置は、公衆交換電話網を介してデータを送受信するデータ通信部をさらに備えてよく、診断部は、天候情報を提供する天候情報サーバからデータ通信部が受信した雷情報に基づいて、ＳＬＩＣ及びＤＡＡの少なくとも一方を診断してよい。上記通信制御装置は、公衆交換電話網を介してデータを送受信するデータ通信部をさらに備えてよく、診断部は、通信制御装置を管理する管理サーバからデータ通信部が受信した指示に従って、ＳＬＩＣ及びＤＡＡの少なくとも一方を診断してよい。上記管理サーバは、複数の通信制御装置のそれぞれからＳＬＩＣ及びＤＡＡの少なくとも一方の診断結果を受信してよく、診断部は、管理サーバが、予め定められた期間に予め定められた数以上の通信制御装置からＳＬＩＣ及びＤＡＡの少なくとも一方の異常を示す診断結果を受信した場合に、管理サーバによって送信された指示に従って、ＳＬＩＣ及びＤＡＡの少なくとも一方を診断してよい。
【０００７】
本発明の第２の態様によれば、コンピュータを、上記通信制御装置として機能させるためのプログラムが提供される。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係るＴＡの通信環境の一例を概略的に示す。
【図２】ＴＡの機能構成の一例を概略的に示す。
【図３】制御部の機能構成の一例を概略的に示す。
【図４】管理サーバの機能構成の一例を概略的に示す。
【図５】ＴＡによる処理の流れの一例を概略的に示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係るＴＡ１００の通信環境の一例を概略的に示す。ＴＡ１００は、ＡＤＳＬモデムに含まれてよい。ＴＡ１００は、通信制御装置の一例である。ＴＡ１００は、ＴＡ１００に接続された電話機２００に対して、公衆交換電話網４０を介したＰＳＴＮ電話サービス及びインターネット５０を介したＩＰ電話サービスを提供する。
【００１２】
ＴＡ１００は、ＰＳＴＮ電話サービスとＩＰ電話サービスとを切り換える機能を備えてよい。例えば、ＴＡ１００は、電話機２００が発呼する電話番号を監視して、電話機２００が発呼した電話番号が０５０番号を利用したＩＰ電話（０５０ＩＰ電話と省略して表記する場合がある。）では利用できない電話番号であった場合にはＰＳＴＮ電話サービスを選択し、それ以外の電話番号であった場合にはＩＰ電話サービスを選択する。０５０ＩＰ電話では利用できない電話番号とは、例えば、「１１０」、「１１９」等の緊急電話番号、「０１２０」、「０８００」等で始まるフリーダイアル、及び「０５７０」で始まるナビダイアルの電話番号である。
【００１３】
ＴＡ１００は、電柱２０に支持された電線３０を介して電話局１０に接続される。電話局１０は、不図示の交換機等を通じて公衆交換電話網４０に接続される。また、電話局１０は、ルータ等を介してインターネット５０に接続される。
【００１４】
ＴＡ１００は電線３０に接続されているため、電線３０及びその付近に落雷があった場合、その影響によってＴＡ１００が備える回路の少なくとも一部が故障してしまうことがある。例えば、電線３０及びその付近への落雷によって発生した誘導雷により電線３０に異常な電流が流れて、ＴＡ１００が備えるＳＬＩＣ（Ｓｕｂｓｃｒｉｂｅｒ  Ｌｉｎｅ  Ｉｎｔｅｒｆａｃｅ  Ｃｉｒｃｕｉｔ）及びＤＡＡ（Ｄａｔａ  Ａｃｃｅｓｓ  Ａｒｒａｎｇｅｍｅｎｔ）の少なくとも一方が故障する。ＳＬＩＣ及びＤＡＡの少なくとも一方が故障した場合、ＴＡ１００を介した通話が不能になってしまう場合がある。
【００１５】
本実施形態に係るＴＡ１００は、ＳＬＩＣ及びＤＡＡの少なくとも一方が故障した場合であっても、ＰＳＴＮ電話サービスを提供可能とする。例えば、ＴＡ１００は、ＳＬＩＣ及びＤＡＡの少なくとも一方を定期的に診断し、診断結果が故障と思われる異常を示す場合に、ＴＡ１００内部の回路からＳＬＩＣ及びＤＡＡを電気的に切り離す。
【００１６】
ＴＡ１００は、インターネット５０に接続された管理サーバ６０の指示に従ってＳＬＩＣ及びＤＡＡの少なくとも一方を診断してもよい。また、ＴＡ１００は、インターネット５０に接続された天候情報サーバ７０から受信した天候情報に基づいて、ＳＬＩＣ及びＤＡＡの少なくとも一方を診断してもよい。例えば、ＴＡ１００は、天候情報が雷の発生を示す場合に、ＳＬＩＣ及びＤＡＡの少なくとも一方を診断する。これにより、落雷によるＳＬＩＣ及びＤＡＡの少なくとも一方の故障を早期に発見できる。
【００１７】
図２は、ＴＡ１００の機能構成の一例を概略的に示す。ＴＡ１００は、ＦＸＳ（Ｆｏｒｅｉｇｎ  ｅＸｃｈａｎｇｅ  Ｓｕｂｓｃｒｉｂｅｒ）１０２、ＦＸＯ（Ｆｏｒｅｉｇｎ  ｅＸｃｈａｎｇｅ  Ｏｆｆｉｃｅ）１０４、ＳＡ（Ｓｕｒｇｅ  Ａｒｒｅｓｔｅｒ）１０６、リレー１１０、通信制御部１１５、通信処理部１１８、リレー１２０、ＬＥＤ１２２、及び制御部１３０を備える。図２に示す各構成の配置は例示であり、他の配置であってもよい。
【００１８】
ＦＸＳ１０２には、電話機２００が接続される。ＦＸＳ１０２は、電話機接続部の一例である。
【００１９】
ＦＸＯ１０４は、モジュラージャック３２及び電線３０を介して、公衆交換電話網４０に接続される。ＦＸＯ１０４は、電話網接続部の一例である。
【００２０】
ＳＡ１０６は、落雷等により電線３０を介して生じる過渡的な異常高電圧からＴＡ１００を保護する。ＴＡ１００がＳＡ１０６を備えていても、落雷から回路を完全に保護することは難しく、ＳＬＩＣ１１６及びＤＡＡ１１７等が故障する場合がある。
【００２１】
リレー１１０は、電話網用端子１１２及びインターネット用端子１１４を有する。インターネット用端子１１４には通信制御部１１５が接続される。
【００２２】
電話網用端子１１２からＳＡ１０６への経路は、電話機２００を、通信制御部１１５を介さずに公衆交換電話網４０に接続させる第１通信経路の一例である。また、インターネット用端子１１４からＳＡ１０６への通信制御部１１５を介した経路は、電話機２００を、通信制御部１１５を介して公衆交換電話網４０に接続させる第２通信経路の一例である。リレー１１０は、電話機２００を、第１通信経路及び第２通信経路のいずれかに接続させる第１スイッチの一例である。
【００２３】
通信制御部１１５は、ＳＬＩＣ１１６及びＤＡＡ１１７を有する。なお、ここでは、通信制御部１１５がＳＬＩＣ１１６とＤＡＡ１１７との両方を含む場合について説明するが、これに限らない。通信制御部１１５は、ＤＡＡ１１７を有さずに、ＳＬＩＣ１１６を有してもよい。この場合、ＤＡＡ１１７は、通信制御部１１５の外部に配置されてよく、通信制御部１１５は、必要に応じてＤＡＡ１１７と連携した処理を実行してよい。また、通信制御部１１５は、ＳＬＩＣ１１６を有さずに、ＤＡＡ１１７を有してもよい。この場合、ＳＬＩＣ１１６は、通信制御部１１５の外部に配置されてよく、通信制御部１１５は、必要に応じてＳＬＩＣ１１６と連携した処理を実行してよい。ＳＬＩＣ１１６は、いわゆるＢＯＲＳＣＨＴ機能を提供してよい。すなわち、ＳＬＩＣ１１６は少なくとも（１）Ｂａｔｔｅｒｙ  ｆｅｅｄ（加入者線への通話電流供給）、（２）Ｏｖｅｒ  ｖｏｌｔａｇｅ  ｐｒｏｔｅｃｔｉｏｎ（加入者線への過電圧保護、雷防護）、（３）Ｒｉｎｇｉｎｇ（呼出信号送出）、（４）Ｓｕｐｅｒｖｉｓｉｏｎ（直流監視）、（５）Ｃｏｄｅｒ／Ｄｅｃｏｄｅｒ（符号復号化）、（６）Ｈｙｂｒｉｄ（２線−４線変換）、（７）Ｔｅｓｔｉｎｇ（加入者線試験引き込み）の機能を提供してよい。ＤＡＡ１１７は、公衆交換電話網と接続し、公衆交換電話網に対しての通信及び制御インターフェースを提供してよい。例えば、通信制御部１１５は、電話機２００のオフフック及びオンフックを検出する。通信制御部１１５は、電話機２００のオフフックを検出した場合、リレー１１０にインターネット用端子１１４を選択させるべく、リレー１１０に制御信号を送信してよい。また、通信制御部１１５は、電話機２００のオンフックを検出した場合、リレー１１０に電話網用端子１１２を選択させるべく、リレー１１０に制御信号を送信してよい。
【００２４】
また、例えば、通信制御部１１５は、電話機２００から送られてきたアナログ信号のデジタル信号への変換及びＦＸＯ１０４から送られてきたデジタル信号のアナログ信号への変換を実行する。通信制御部１１５及び通信処理部１１８は、電話機２００から送られてきたアナログ音声信号を音声パケットに変換する。通信制御部１１５及び通信処理部１１８によって変換された音声パケットは、ＦＸＯ１０４から電話局１０に送られる。また、通信制御部１１５及び通信処理部１１８は、ＦＸＯ１０４から送られてきた音声パケットをアナログ音声信号に変換する。通信制御部１１５及び通信処理部１１８によって変換されたアナログ音声信号は、ＦＸＳ１０２から電話機２００に送られる。これにより、ＴＡ１００は、ＩＰ電話サービスを実現する。
【００２５】
リレー１２０は、ＳＡ１０６と通信制御部１１５との間に配置され、ＳＡ１０６と通信制御部１１５との接続のオン状態とオフ状態とを切り換える。リレー１２０は、通信制御部１１５と公衆交換電話網４０との接続のオン状態とオフ状態とを切り換える第２スイッチの一例である。
【００２６】
ＳＬＩＣ１１６が何らかの理由で故障すると、上述したＢＯＲＳＣＨＴ機能のうち少なくとも１つの機能が提供できなくなる。そこで、故障を周囲に報知するために、本実施形態に係るＴＡ１００は、ＬＥＤ１２２を備えている。すなわち、このＬＥＤ１２２は、ＴＡ１００の状態を表す光を発光する。例えば、ＬＥＤ１２２は、ＳＬＩＣ１１６が故障している場合に、赤色等の警告を示す色の光を発光する。
【００２７】
制御部１３０は、ＴＡ１００が備える各部構成を制御する。制御部１３０は、ＳＬＩＣ１１６及びＤＡＡ１１７の少なくとも一方が備える機能が正常に動作するかを診断して、ＳＬＩＣ１１６及びＤＡＡ１１７の少なくとも一方の機能の診断結果に応じて、リレー１１０及びリレー１２０を制御してよい。例えば、制御部１３０は、ＳＬＩＣ１１６及びＤＡＡ１１７の少なくとも一方の機能の診断結果が、何らかの理由でＳＬＩＣ１１６及びＤＡＡ１１７の少なくとも一方が故障し、本来、備えている機能を使用できないという異常を示す場合、電話機２００と第１通信経路とを接続させた状態を維持するべくリレー１１０を制御する。また、例えば、制御部１３０は、ＳＬＩＣ１１６及びＤＡＡ１１７の少なくとも一方の機能の診断結果が何らかの理由でＳＬＩＣ１１６及びＤＡＡ１１７の少なくとも一方が故障し、本来、備える機能を使用できないという異常を示す場合、リレー１２０を制御して、通信制御部１１５と公衆交換電話網４０との接続をオフ状態にさせる。
【００２８】
通信制御部１１５及び制御部１３０による制御によって、ＴＡ１００は次のように動作する。まず、電話機２００が待ち受け状態の場合、リレー１１０は電話網用端子１１２を選択した状態となり、リレー１２０はオン状態となる。電話機２００の受話器が持ち上げられると、通信制御部１１５によりオフフックが検出されて、通信制御部１１５の制御に従ってリレー１１０がインターネット用端子１１４を選択する。
【００２９】
ここで、電話機２００によって０５０ＩＰ電話では利用できない電話番号が発呼された場合、通信制御部１１５が、０ＡＢ−Ｊ番号による発信として、電話局１０に向けて当該電話番号を発呼する。そして、当該電話番号の相手先との通話が確立した場合、通信制御部１１５が、リレー１１０に電話網用端子１１２を選択させる。これにより、ＰＳＴＮ電話サービスを利用した通話を電話機２００に提供する。また、電話機２００によって０５０ＩＰ電話では利用できない電話番号以外の電話番号が発呼された場合、通信制御部１１５が、０５０番号による発信として、電話局１０に向けて当該電話番号を発呼する。
【００３０】
また、電話機２００が待ち受け状態のときに、０５０電話に対する発呼をＦＸＯ１０４から受信した場合、通信制御部１１５が、リレー１１０にインターネット用端子１１４を選択させる。これにより、着信時のＩＰ電話サービスが提供される。
【００３１】
制御部１３０によってＳＬＩＣ１１６及びＤＡＡ１１７の少なくとも一方に故障とみなされる異常が検出された場合、制御部１３０によって、リレー１１０が電話網用端子１１２を選択した状態が維持され、リレー１２０がオフ状態とされる。これにより、通信制御部１１５が回路から電気的に切り離される。そして、電話機２００からＦＸＯ１０４への通信経路が、ＦＸＳ１０２、リレー１１０、ＳＡ１０６、ＦＸＯ１０４の通信経路に固定される。これにより、ＳＬＩＣ１１６及びＤＡＡ１１７の少なくとも一方が故障した場合であっても、電話機２００に対してＰＳＴＮ電話サービスを提供できる。
【００３２】
図３は、制御部１３０の機能構成の一例を概略的に示す。制御部１３０は、診断部１３２、リレー制御部１３４、発光制御部１３６、データ通信部１３８、配置場所情報管理部１４０、カレンダー管理部１４２、及び診断結果記憶部１４４を有する。制御部１３０がこれらのすべての構成を備えることは必須とは限らない。
【００３３】
診断部１３２は、ＳＬＩＣ１１６及びＤＡＡ１１７の少なくとも一方を診断する。診断部１３２は、ＳＬＩＣ１１６及びＤＡＡ１１７の少なくとも一方に診断信号を送信することによって、ＳＬＩＣ１１６及びＤＡＡ１１７の少なくとも一方の機能を診断してよい。例えば、診断部１３２は、ＳＬＩＣ１１６及びＤＡＡ１１７の少なくとも一方に診断信号を送信した後、故障とみなされる異常を示す信号をＳＬＩＣ１１６及びＤＡＡ１１７の少なくとも一方から受信した場合、ＳＬＩＣ１１６及びＤＡＡ１１７の少なくとも一方が故障であると判定する。また、診断部１３２は、ＳＬＩＣ１１６及びＤＡＡ１１７の少なくとも一方に診断信号を送信した後、予め定められた期間が経過するまでにＳＬＩＣ１１６及びＤＡＡ１１７の少なくとも一方から信号を受信しなかった場合に、ＳＬＩＣ１１６及びＤＡＡ１１７の少なくとも一方が故障であると判定してもよい。
【００３４】
リレー制御部１３４は、リレー１１０及びリレー１２０を制御する。リレー制御部１３４は、診断部１３２によるＳＬＩＣ１１６及びＤＡＡ１１７の少なくとも一方の診断結果に応じて、リレー１１０及びリレー１２０を制御してよい。例えば、リレー制御部１３４は、ＳＬＩＣ１１６及びＤＡＡ１１７の少なくとも一方の診断結果が異常を示す場合、電話網用端子１１２を選択した状態を維持させるべくリレー１１０を制御する。リレー制御部１３４は、リレー１１０が通信制御部１１５から、インターネット用端子１１４を選択させるための制御信号を受信した場合であっても、電話網用端子１１２を選択した状態を維持させてよい。
【００３５】
例えば、ＳＬＩＣ１１６及びＤＡＡ１１７の少なくとも一方の機能の一部が故障した場合に、通信制御部１１５が電話機２００のオフフックを検出して、リレー１１０にインターネット用端子１１４を選択させたにもかかわらず、電話局１０に対する発呼及び音声パケットの生成等ができず、通話が不能になってしまう場合がある。しかし、本実施形態に係るＴＡ１００によれば、ＳＬＩＣ１１６及びＤＡＡ１１７の少なくとも一方の機能の診断結果が異常を示す場合に、リレー制御部１３４によって、リレー１１０が電話網用端子１１２を選択した状態が維持されるので、ＰＳＴＮ電話サービスの提供を維持できる。
【００３６】
また、リレー制御部１３４は、例えば、ＳＬＩＣ１１６及びＤＡＡ１１７の少なくとも一方の機能の診断結果が異常を示す場合、リレー１２０をオフ状態にさせる。例えば、ＳＬＩＣ１１６及びＤＡＡ１１７の少なくとも一方の機能の一部が故障した場合に、ＦＸＯ１０４からの０５０電話に対する発呼を受信したのに応じて、通信制御部１１５によってリレー１１０がインターネット用端子１１４を選択したにもかかわらず、音声パケットの音声信号への変換及び音声信号の音声パケットへの変換ができず、通話が不能になってしまう場合がある。しかし、本実施形態に係るＴＡ１００によれば、ＳＬＩＣ１１６及びＤＡＡ１１７の少なくとも一方の機能の診断結果が異常を示す場合に、リレー１２０がオフ状態にされるので、通信制御部１１５がＦＸＯ１０４から受信した信号に基づいて、リレー１１０にインターネット用端子１１４を選択させてしまうことを防止できる。
【００３７】
発光制御部１３６は、ＬＥＤ１２２の発光を制御する。発光制御部１３６は、診断部１３２によるＳＬＩＣ１１６及びＤＡＡ１１７の少なくとも一方の機能の診断結果に応じて、ＬＥＤ１２２の発光を制御してよい。例えば、発光制御部１３６は、ＳＬＩＣ１１６及びＤＡＡ１１７の少なくとも一方の機能の診断結果が異常を示す場合、赤色等の警告を示す色の光をＬＥＤ１２２に発光させてよい。これにより、ＴＡ１００の使用者に対して、ＳＬＩＣ１１６及びＤＡＡ１１７の少なくとも一方が故障していることを認識させることができる。
【００３８】
データ通信部１３８は、インターネット５０を介したデータの送受信を実行する。データ通信部１３８は、例えば、診断部１３２によるＳＬＩＣ１１６及びＤＡＡ１１７の少なくとも一方の機能の診断結果が異常を示す場合に、その旨を管理サーバ６０に送信する。これにより、管理サーバ６０側で、ＴＡ１００の状態を管理することができる。
【００３９】
データ通信部１３８は、天候情報サーバ７０から天候情報を受信してよい。データ通信部１３８は、例えば、天候情報サーバ７０から雷情報を受信する。データ通信部１３８は、ＴＡ１００が配置された地域の雷情報を、天候情報サーバ７０から受信してよい。データ通信部１３８は、例えば、配置場所情報管理部１４０によって管理される、ＴＡ１００が配置された場所を示す配置場所情報を天候情報サーバ７０に送信して、送信した配置場所情報が示す配置場所に対応する地域の雷情報を天候情報サーバ７０から受信する。
【００４０】
診断部１３２は、データ通信部１３８が天候情報サーバ７０から受信した雷情報に基づいて、ＳＬＩＣ１１６及びＤＡＡ１１７の少なくとも一方の機能を診断してよい。例えば、診断部１３２は、データ通信部１３８が雷情報を受信したのに応じて、ＳＬＩＣ１１６及びＤＡＡ１１７の少なくとも一方の機能を診断する。また、診断部１３２は、データ通信部１３８が雷情報を受信した場合に、ＳＬＩＣ１１６及びＤＡＡ１１７の少なくとも一方の機能を予め定められた頻度よりも高い頻度で診断してよい。これにより、ＳＬＩＣ１１６及びＤＡＡ１１７の少なくとも一方が故障する可能性が高いときに、診断頻度を高めることができ、ＳＬＩＣ１１６及びＤＡＡ１１７の少なくとも一方の故障の早期発見を実現できる。
【００４１】
データ通信部１３８は、管理サーバ６０から、ＳＬＩＣ１１６及びＤＡＡ１１７の少なくとも一方の機能の診断に関する指示データを受信してよい。そして、診断部１３２は、管理サーバ６０から受信した指示データに基づいて、ＳＬＩＣ１１６及びＤＡＡ１１７の少なくとも一方の機能を診断してよい。
【００４２】
配置場所情報管理部１４０は、ＴＡ１００が配置された場所を示す配置場所情報を管理する。ＴＡ１００が配置された場所は、例えば、ＴＡ１００の使用者によって登録される。また、配置場所情報管理部１４０は、電話機２００に割り当てられた０ＡＢ−Ｊ番号によって、配置場所を判定してもよい。
【００４３】
カレンダー管理部１４２は、カレンダー情報を管理する。診断部１３２は、カレンダー管理部１４２によって管理されたカレンダー情報に基づく頻度でＳＬＩＣ１１６及びＤＡＡ１１７の少なくとも一方の機能を診断してよい。例えば、診断部１３２は、カレンダー情報が示す現在の月が、雷が多い月を示す場合、雷が多い月を示さない場合に比べて高い頻度でＳＬＩＣ１１６及びＤＡＡ１１７の少なくとも一方の機能を診断する。これにより、ＳＬＩＣ１１６及びＤＡＡ１１７の少なくとも一方の機能が故障する可能性が高い時期に、診断頻度を高めることができ、ＳＬＩＣ１１６及びＤＡＡ１１７の少なくとも一方の故障の早期発見を実現できる。なお、雷が多い月とは、例えば、６月、７月、８月である。
【００４４】
診断部１３２は、カレンダー管理部１４２が管理するカレンダー情報及び配置場所情報管理部１４０が管理する配置場所情報に基づく頻度でＳＬＩＣ１１６及びＤＡＡ１１７の少なくとも一方の機能を診断してよい。例えば、診断部１３２は、カレンダー情報が示す現在の月が、配置場所情報が示す地域において雷が多い月を示す場合、雷が多い月を示さない場合に比べて高い頻度でＳＬＩＣ１１６及びＤＡＡ１１７の少なくとも一方の機能を診断する。
【００４５】
診断結果記憶部１４４は、診断部１３２による診断結果を記憶する。診断結果記憶部１４４は、例えば、不揮発性メモリであり、ＴＡ１００がリブートされた場合でも診断結果の記憶を維持する。リレー制御部１３４は、診断結果記憶部１４４に記憶された診断結果に基づいて、リレー１１０及びリレー１２０を制御してよい。例えば、リレー制御部１３４は、ＴＡ１００がリブートされた場合に、診断結果記憶部１４４に記憶された診断結果を参照して、診断結果がＳＬＩＣ１１６及びＤＡＡ１１７の少なくとも一方の異常を示す場合、リレー１１０に電話網用端子１１２を選択した状態を維持させ、リレー１２０をオフ状態ンにする。
【００４６】
図４は、管理サーバ６０が備える機能構成の一部を概略的に示す。管理サーバ６０は、診断結果受信部１６２、診断結果格納部１６４、診断結果分析部１６６、及び診断指示送信部１６８を備える。
【００４７】
診断結果受信部１６２は、複数のＴＡ１００のそれぞれから、ＳＬＩＣ１１６及びＤＡＡ１１７の少なくとも一方の機能の診断結果を受信する。診断結果格納部１６４は、診断結果受信部１６２が受信した診断結果を格納する。診断結果格納部１６４は、例えば、ＴＡ１００が配置された地域毎に、診断結果を格納する。
【００４８】
診断結果分析部１６６は、診断結果格納部１６４が格納する複数の診断結果を分析する。診断結果分析部１６６は、例えば、一の地域において、予め定められた期間に予め定められた数以上のＴＡ１００から、ＳＬＩＣ１１６及びＤＡＡ１１７の少なくとも一方の機能の異常を示す診断結果を受信したか否かを判定する。
【００４９】
診断指示送信部１６８は、診断結果分析部１６６の分析結果に基づいて、ＴＡ１００にＳＬＩＣ１１６及びＤＡＡ１１７の少なくとも一方を診断する指示データを送信してよい。例えば、診断指示送信部１６８は、一の地域において、予め定められた期間に予め定められた数以上のＴＡ１００からＳＬＩＣ１１６及びＤＡＡ１１７の少なくとも一方の機能の異常を示す診断結果を受信していた場合、当該地域における他のＡＤＳＬモデム／ＴＡ１００に対して、ＳＬＩＣ１１６及びＤＡＡ１１７の少なくとも一方の機能を診断する指示データを送信する。これにより、ＳＬＩＣ１１６及びＤＡＡ１１７の少なくとも一方の機能の一部の診断結果が異常を示すＴＡ１００の数が多い地域に配置された複数のＴＡ１００に対して、ＳＬＩＣ１１６及びＤＡＡ１１７の少なくとも一方の機能を診断させることができる。
【００５０】
図５は、ＴＡ１００による処理の流れの一例を概略的に示す。図５は、ＴＡ１００がＳＬＩＣ１１６及びＤＡＡ１１７の少なくとも一方の機能を診断して、診断結果に応じた処理を実行するまでの流れを概略的に示す。図５に示す処理は、電話機２００が待ち受け状態であるときを開始状態とする。
【００５１】
ステップ５０２（ステップをＳと省略して表記する場合がある。）では、診断部１３２が、ＳＬＩＣ１１６及びＤＡＡ１１７の少なくとも一方の機能の診断を実行するか否かを判定する。診断部１３２は、例えば、予め定められた時刻に診断を実行している場合、予め定められた時刻になっているか否かを判定する。また、診断部１３２は、管理サーバ６０から、ＳＬＩＣ１１６及びＤＡＡ１１７の少なくとも一方の機能を診断する指示データを受信したか否かを判定してよい。また、診断部１３２は、天候情報サーバ７０から天候情報を受信していた場合、天候情報に基づいてＳＬＩＣ１１６及びＤＡＡ１１７の少なくとも一方の機能の診断を実行するか否かを判定してもよい。
【００５２】
Ｓ５０２でＳＬＩＣ１１６及びＤＡＡ１１７の少なくとも一方の機能を診断すると判定した場合、Ｓ５０４に進む。Ｓ５０４では、制御部１３０が、電話機２００が通話中であるか否かを判定する。Ｓ５０４で通話中ではないと判定した場合、Ｓ５０６に進む。Ｓ５０４で通話中であると判定した場合、通話が終了するまで待機して、終了後Ｓ５０６に進む。
【００５３】
Ｓ５０６では、診断部１３２が、ＳＬＩＣ１１６及びＤＡＡ１１７の少なくとも一方に対して機能の診断信号を送信する。Ｓ５０８では、診断部１３２が、ＳＬＩＣ１１６及びＤＡＡ１１７の少なくとも一方から正常を示す正常信号を受信したか否かを判定する。Ｓ５０８で正常信号を受信していないと判定した場合、Ｓ５１０に進む。
【００５４】
Ｓ５１０では、診断部１３２が、ＳＬＩＣ１１６及びＤＡＡ１１７の少なくとも一方から異常信号を受信したか否かを判定する。Ｓ５１０で異常信号を受信していないと判定した場合、Ｓ５１２に進み、受信したと判定した場合Ｓ５１４に進む。
【００５５】
Ｓ５１２では、制御部１３０が、Ｓ５０６で診断信号をＳＬＩＣ及びＤＡＡ１１７の少なくとも一方に送信してから予め定められた時間が経過したか否かを判定する。Ｓ５１２で、予め定められた時間を経過していないと判定した場合、Ｓ５０８に戻り、経過したと判定した場合、Ｓ５１４に進む。
【００５６】
Ｓ５１４では、リレー制御部１３４が、リレー１２０をオフ状態にさせる。Ｓ５１４でリレー１２０をオフ状態にさせた後、及び、Ｓ５０８で正常信号を受信したと判定した後、処理を終了する。ＴＡ１００が上述した処理を実行することにより、ＳＬＩＣ１１６及びＤＡＡ１１７の少なくとも一方の機能が故障した場合に、電話機２００に対してＰＳＴＮ電話サービスを提供できる状態に速やかに移行できる。
【００５７】
上記実施形態では、ＴＡ１００が電話機２００に対して提供するサービスについて主に説明したが、ＴＡ１００は、ＬＡＮポートを備えて、ＬＡＮポートに接続された機器に対して、データ通信サービスを提供してもよい。
【００５８】
以上の説明において、ＴＡ１００が備える制御部１３０の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、ＴＡ１００として機能してもよい。プログラムは、コンピュータ読み取り可能な媒体又はネットワークに接続された記憶装置から、ＴＡ１００の少なくとも一部を構成するコンピュータにインストールされてよい。
【００５９】
コンピュータにインストールされ、コンピュータを本実施形態に係るＴＡ１００として機能させるプログラムは、ＣＰＵ等に働きかけて、コンピュータを、ＴＡ１００の各部としてそれぞれ機能させる。これらのプログラムに記述された情報処理は、コンピュータに読込まれることにより、ソフトウエアとＴＡ１００のハードウエア資源とが協働した具体的手段として機能する。
【００６０】
また、管理サーバ６０は、ＣＰＵ、ＲＯＭ、ＲＡＭ、通信インターフェースなどを有するデータユニットと、キーボード、タッチパネル、マイクなどの入力ユニットと、ディスプレイ、スピーカなどの出力ユニットと、メモリ、ＨＤＤなどの記憶ユニットとを備えた一般的な構成の情報処理装置において、管理サーバ６０の各部の動作を規定したソフトウエア又はプログラムを起動することにより実現されてよい。管理サーバ６０は、仮想サーバまたはクラウドシステムであってもよい。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００６３】
１０  電話局、２０  電柱、３０  電線、３２  モジュラージャック、４０  公衆交換電話網、５０  インターネット、６０  管理サーバ、７０  天候情報サーバ、１００  ＴＡ、１０２  ＦＸＳ、１０４  ＦＸＯ、１０６  ＳＡ、１１０  リレー、１１２  電話網用端子、１１４  インターネット用端子、１１５  通信制御部、１１６  ＳＬＩＣ、１１７  ＤＡＡ、１１８  通信処理部、１２０  リレー、１２２  ＬＥＤ、１３０  制御部、１３２  診断部、１３４  リレー制御部、１３６  発光制御部、１３８  データ通信部、１４０  配置場所情報管理部、１４２  カレンダー管理部、１４４  診断結果記憶部、１６２  診断結果受信部、１６４  診断結果格納部、１６６  診断結果分析部、１６８  診断指示送信部、２００  電話機
【要約】
【課題】ＡＤＳＬモデムが備えるＴＡに接続された電線等に落雷があった場合に、ＴＡが備えるＳＬＩＣ及びＤＡＡの少なくとも一方に異常が発生して、サービスに支障を来す場合があった。
【解決手段】公衆交換電話網に接続される電話網接続部と、電話機に接続される電話機接続部と、ＳＬＩＣ及びＤＡＡの少なくとも一方を有する通信制御部と、電話機を、通信制御部を介さずに公衆交換電話網に接続させる第１通信経路及び通信制御部を介して公衆交換電話網に接続させる第２通信経路のいずれかに接続させる第１スイッチと、ＳＬＩＣ及びＤＡＡの少なくとも一方を診断する診断部と、診断部による診断結果が異常を示す場合、電話機と第１通信経路とを接続させた状態を維持するべく第１スイッチを制御するスイッチ制御部とを備える通信制御装置を提供する
【選択図】図２【図１】
0005564628.tif 000002
【図２】
0005564628.tif 000003
【図３】
0005564628.tif 000004
【図４】
0005564628.tif 000005
【図５】
0005564628.tif 000006